(57)【特許請求の範囲】
【請求項１】
復帰バネの付勢によりストッパに当接した閉じ位置では撮影開口を覆い、シャッタ駆動部材の蹴飛ばし動作によって復帰バネに抗して撮影開口を開放する開き位置に移動した後、復帰バネにより閉じ位置に戻って一回の露光を行うシャッタ羽根を備えたカメラに設けられ、前記シャッタ羽根に一体化されたデータ写し込みシャッタをシャッタ羽根とともに移動させることによって、撮影開口とは別に設けられたデータ写し込み開口を開閉してフイルムに光学的にデータを写し込むデータ写し込み装置において、
前記シャッタ羽根の開き方向への移動により、データ写し込み開口、撮影開口の順に開放させるようにデータ写し込み開口と撮影開口とを配置し、
閉じ方向に移動した前記シャッタ羽根を前記ストッパとの衝突により復帰バネに抗してバウンドさせ、このバウンドにより前記データ写し込み開口のみを再度開放させることにより、写し込みデータを再露光させるとともに、
前記データ写し込み光が前記データ写し込み開口へ入射することを防ぐ遮光板を設けたことを特徴とするデータ写し込み装置。
【請求項２】
前記遮光板は、シャッタボタンに連動して、データ写し込み光路に挿入される挿入位置と、前記データ写し込み光路から退避する退避位置との間で挿脱することを特徴とする請求項１記載のデータ写し込み装置。
【請求項３】
前記データ写し込み光としてカメラの周囲の環境光を用いることを特徴とする請求項１又は２記載のデータ写し込み装置。
【請求項４】
前記カメラはレンズ付きフィルムユニットであることを特徴とする請求項１〜３いずれか記載のデータ写し込み装置。
【発明の詳細な説明】
【０００１】
【発明の属する技術分野】
本発明は、写真フイルムに文字やマークなどを写し込むデータ写し込み装置に関するものである。
【０００２】
【従来の技術】
最近のカメラの多くには撮影年月日などのデータを写真フイルムに写し込むデータ写し込み装置が内蔵されている。通常のデータ写し込み装置は、写し込みデータを表示する液晶板と、写し込み光源と、データ写し込み光を暗箱内に入射させるデータ写し込み開口とからなり、液晶板に撮影年月日などの写し込みデータを光透過部として表示し、シャッタレリーズに応答して写し込み光源を一定時間点灯させて、光学的なデータ写し込みを行う。
【０００３】
特開平１０−９６９９１号公報においては、簡易型カメラであるレンズ付きフイルムユニットにデータ写し込み装置を内蔵した例が示されている。このデータ写し込み装置は、専用の写し込み光源を持たず、その代わりに写し込み光源としてレンズ付きフイルムユニットの周囲の環境光（外光）を利用している。レンズ付きフイルムユニットに使用されるシャッタとしては、被写体光を暗箱内に入射させる撮影開口を覆う閉じ位置に復帰バネによって付勢されたシャッタ羽根を設け、この撮影用シャッタを付勢方向と反対方向に蹴飛ばすことで、撮影開口を開く開き位置と閉じ位置との間を往復動させるいわゆる蹴飛ばし式のシャッタが採用されている。
【０００４】
そして、データ写し込み開口を開閉するデータ写し込みシャッタが撮影用シャッタに連動するように、データ写し込みシャッタと前記シャッタ羽根とを一体に設けることで、被写体光の露光と同時にデータ写し込みを行うようにしている。こうすることで、構造の簡単化及び低コスト化を達成している。
【０００５】
【発明が解決しようとする課題】
しかしながら、シャッタ羽根にデータ写し込みシャッタを一体に設けた場合には、シャッタ羽根の開閉動作に合わせてデータ写し込みシャッタを開閉させることになるので、データ写し込みの露光時間は、シャッタ羽根のシャッタスピードによって規定されてしまう。被写体光の露光時間は短く、この時間に合わせてシャッタ羽根のスピードも設定されているので、このスピードで外光によるデータ写し込みをする場合には、データ写し込みの光量が不足してしまうという問題が生じる。
【０００６】
上記課題を解決するために、本発明は、簡単な構成で充分なデータ写し込みの光量が得られるデータ写し込み装置を提供することを目的とする。
【０００７】
【課題を解決するための手段】
前記目的を達成するために、本発明のデータ写し込み装置は、復帰バネの付勢によりストッパに当接した閉じ位置では撮影開口を覆い、シャッタ駆動部材の蹴飛ばし動作によって復帰バネに抗して撮影開口を開放する開き位置に移動した後、復帰バネにより閉じ位置に戻って一回の露光を行うシャッタ羽根を備えたカメラに設けられ、前記シャッタ羽根に一体化されたデータ写し込みシャッタをシャッタ羽根とともに移動させることによって、撮影開口とは別に設けられたデータ写し込み開口を開閉してフイルムに光学的にデータを写し込むデータ写し込み装置において、前記シャッタ羽根の開き方向への移動により、データ写し込み開口、撮影開口の順に開放されるようにデータ写し込み開口と撮影開口とを配置したことを特徴とするものである。
【０００８】
なお、閉じ方向に移動したシャッタ羽根を前記ストッパとの衝突により復帰バネに抗してバウンドさせ、このバウンドによりデータ写し込み開口のみが再度開放されるようにしてもよい。なお、前記データ写し込み開口を通ってフイルムを露光するデータ写し込み光として、カメラ周囲の環境光を利用してもよい。
【０００９】
【発明の実施の形態】
本発明のデータ写し込み装置が内蔵されたレンズ付きフイルムユニット１１の外観及び内部構造の概略を示す図２及び図３において、レンズ付きフイルムユニット１１のユニット本体１２は、中央に露光部１３が設けられ、その横にストロボ装置１４が組み付けられた本体基部１６と、その前後に被せられる前カバー１７及び後カバー１８とから構成されるユニット本体と、カートリッジ１９及びカートリッジ１９から引き出してロール形態にした写真フイルム２１とからなる。
【００１０】
カートリッジ１９及び写真フイルム２１は、本体基部１６に形成されたカートリッジ収納室１６ａ，フイルム収納室１６ｂにそれぞれレンズ付きフイルムユニットの製造時点で予め組み込まれる。ユニット本体１２の中央部には、化粧用のラベルシール２２が貼られている。
【００１１】
前カバー１７には、その前面に、撮影レンズ２３を露呈する撮影窓２４，ファインダ対物窓２６，ストロボ発光窓２７，データ写し込み用の外光を採り入れる採光窓２８等が形成されており、その上面には、シャッタボタン２９，フイルムカウンタ窓３１が形成されている。採光窓２８には、外光を集光しその光をデータ表示部に導く集光部材３２が埋め込まれている。データ写し込みには、この集光部材３２によって集光された外光が光源として利用される。
【００１２】
集光部材３２は、例えば、透明なプラスチックで形成されており、プリントされた写し込みデータがオレンジ色で表示されるように、オレンジ色に着色されている。もちろん、黄色や他の色に着色してもよいし、着色しなくてもよい。
【００１３】
採光窓２８の下方には、データ写し込みを行うか否かを選択するための選択スイッチ３３が、その横にはストロボスイッチ３４が取り付けられている。選択スイッチ３３には遮光片３３ａが設けられており、選択スイッチ３３を上下方向にスライドさせると、遮光片３３ａがデータ写し込み光路内に挿脱される。これにより、データ写し込みを行う否かの選択がなされる。
【００１４】
ストロボスイッチ３４は、ストロボ充電を開始させるためのもので、上下方向にスライド自在に設けられている。ストロボの充電が完了すると、充電完了ランプが点灯し、この光がライトガイド３６を通って撮影者に確認される。
【００１５】
後カバー１８にはファインダ接眼窓３７、上面に、ライトガイド３６を露呈する充電完了確認窓３８が形成され、さらにカートリッジ収納室１６ａ，フイルム収納室１６ｂの底部開口を光密に覆う底蓋１８ａ，１８ｂが一体に形成されている。底蓋１８ａは、撮影済みの写真フイルムが巻き込まれたカートリッジ１９を取り出すときに開放される。
【００１６】
カートリッジ収納室１６ａの上部には、巻上げノブ４１が設けられ、その下面に一体に形成された巻上げ軸がカートリッジ１９のスプールに係合する。撮影ごとに巻上げノブ４１を回動操作することによって、撮影済みの写真フイルム２１は１コマ分ずつカートリッジ１９に巻き込まれる。このフイルム１コマ巻上げに連動して露光部１３に組み込まれたシャッタ機構が次回の撮影のためにチャージされ、またフイルム１コマ給送が完了すると露光部１３に組み込まれたロックレバーによって巻上げノブ４１の回動がロックされる。
【００１７】
露光部１３の背面には、露光枠が形成されており、この露光枠によって、撮影位置に給送されてきた写真フイルム２１の１コマの露光範囲２１ａを制限する。露光部１３の暗箱内部には、矩形状の開口が形成された有害光遮光枠４２が組み込まれている。この有害光遮光枠４２は、撮影レンズ２３を通ってきた光のうち露光範囲２１ａの外に向かう有害光を遮断する。したがって、写真フイルム２１には、露光範囲２１ａに向かう被写体光だけで露光が行われ、フレアのない鮮明な画像が得られる。
【００１８】
この有害光遮光枠４２の右上には、データ写し込み用の結像レンズ４３が取り付けられる。データ写し込み光は結像レンズ４３を通って、露光範囲２１ａ内の右上部に設定されたデータ写し込み領域２１ｂに、被写体光と重ねて写し込まれる。
【００１９】
図４に示すように、ストロボ装置１４は、メインコンデンサ４６，シンクロスイッチ４７，昇圧コイルなどの回路部品を取り付けた回路基板４８と、ストロボ放電管やリフレクタ等を含む発光部４９と、電源電池５１とからなる。回路基板４８には、回路パターンがプリントされるとともに、各種回路素子が取り付けられてストロボ回路が形成されている。回路基板４８の前面には、充電スイッチ５２が設けられている。ストロボスイッチ３４をオン位置にスライドさせると、充電スイッチ５２が押されて接片間が導通しストロボ充電を開始する。
【００２０】
シンクロスイッチ４７は、一対の金属接片からなり、シャッタレリーズに応答してオンする。これにより、ストロボ回路にトリガー信号が与えられ、ストロボ発光する。このストロボ光は、発光部４９の前面から被写体に向けて照射されるとともに、発光部４９の背後から漏れてユニット本体１２内部に漏光する。
【００２１】
露光部１３は、前方に向かって角筒状に突出した暗箱基部５６をベースにして、これにシャッタ機構，フイルム巻止め機構の他、対物及び接眼レンズからなるファインダ光学系やフイルムカウンタ板等が組み付けたものである。
【００２２】
暗箱基部５６の前面には、その中央に被写体光を暗箱内に入射させる撮影開口５６ａが、正面からみて右上方には、データ写し込み光を暗箱内に入射させるデータ写し込み開口５６ｂが形成されている。また、暗箱基部５６の前面には、シャッタ部材５８と、これを覆うシャッタカバー５９とが取り付けられる。シャッタカバー５９には、撮影レンズ２３が組み込まれており、撮影レンズ２３の後方には絞り開口が形成されている。また、シャッタカバー５９には、データ写し込み開口５６ｂに対応する位置に開口５９ａが形成されている。
【００２３】
シャッタ部材５８は、羽根部６１とその上方に設けられた取付部６２とからなる。シャッタ部材５８は、取付部６２が暗箱基部５６の前面に形成されたピン６３と係合し、このピン６３を中心軸として回動する。羽根部６１は、撮影開口５６ａを開閉するメインシャッタ６１ａと、データ写し込み開口５６ｂを開閉するデータ写し込みシャッタ６１ｂとからなり、これらは一体に形成されている。これにより、データ写し込み開口５６ｂの開閉が撮影開口５６ａの開閉に連動して行われる。
【００２４】
シャッタ部材５８は、撮影開口５６ａ及びデータ写し込み開口５６ｂを開く開き位置と、これらの開口５６ａ，５６ｂを閉じる閉じ位置との間で回動自在に設けられる。取付部６２とピン６３との間には、復帰バネ６４が取り付けられる。この復帰バネ６４の付勢力によって、シャッタ部材５８は閉じ位置に向けて付勢される。
【００２５】
シャッタボタン２９の下方には、押圧レバー２９ａが形成されており、シャッタボタン２９が押下されると、押圧レバー２９ａがシャッタ駆動レバーを押圧してシャッタ機構を作動させる。シャッタ機構が作動すると、蹴飛ばしレバー６６が取付部６２の上部を蹴飛ばす。取付部６２が蹴飛ばされると、羽根部６１が復帰バネ６４の付勢に抗しながら開き位置方向に回動し、開き位置に達すると前記バネ６４の付勢によって閉じ位置方向に回動する。シャッタ部材５８の１往復動で、撮影開口５６ａが開放される被写体光の露光時間は、約９ｍｓに設定される。
【００２６】
シャッタ部材５８の開閉動作を示す図１において、データ写し込み開口５６ｂと、撮影開口５６ａとは、シャッタ部材５８が開き動作するときに、データ写し込み開口５６ｂ，撮影開口５６ａの順に開放されるように配置されている。したがって、シャッタ部材５８が閉じ動作するときには、まず、撮影開口５６ａが閉じ、その後、データ写し込み開口５６ｂが閉じられる。これにより、データ写し込み開口５６ｂが開放されるデータ写し込み光の露光時間を、被写体光の露光時間よりも長くしている。このデータ写し込み光の露光時間は、約１５ｍｓに設定される。なお、被写体の露光時間及びデータ写し込みの露光時間の各設定値は、撮影レンズ２３及び結像レンズ４３のＦ値等に応じて適宜設定される。
【００２７】
また、撮影開口５６ａの左横には、ストッパピン６７が設けられている。ストッパピン６７は、羽根部６１との当接により、シャッタ部材５８の開き動作を停止させる。この位置がシャッタ部材５８の開き位置となる。他方、撮影開口５６ａの上方には、ストッパ部６８が設けられている。ストッパ部６８は、羽根部６１との当接により、シャッタ部材５８の閉じ動作を停止させる。この位置がシャッタ部材５８の閉じ位置となる。
【００２８】
図１（Ａ）〜（Ｃ）に示すように、シャッタ部材５８が閉じ位置と開き位置との間で１往復動すると、被写体光及びデータ写し込み光が露光される。また、図１（Ｄ），（Ｅ）に示すように、シャッタ部材５８の１往復動が終了したときに、閉じ方向に移動したシャッタ部材５８を、羽根部６１とストッパ部６８との衝突により復帰バネ６４に抗してバウンドさせることで、再度データ写し込み開口５６ｂを開放し、データ写し込み光が再露光されるようにしている。これにより、データ写し込み光の合計の露光時間が、前記設定値（１５ｍｓ）に再露光時の露光時間を加えた時間となる。
【００２９】
また、このバウンドによりデータ写し込み開口５６ｂを開放する際に、データ写し込み開口５６ｂのみを全開させることができるように、データ写し込み開口５６ｂと撮影開口５６ａとの位置関係を考慮して各開口５６ａ，５６ｂが配置されている。そして、バウンドによってシャッタ部材５８が開き動作する範囲は、データ写し込み開口５６ｂを全開し、かつ、撮影開口５６ａを開かない程度に抑えられる。
【００３０】
このようにシャッタ部材５８をバウンドさせるために、復帰バネ６４の付勢力や、シャッタ部材５８の大きさ，形状，材質及びストッパ部６８，ストッパピン６７の大きさ，形状，材質，配置などを総合的に考慮して決定している。
【００３１】
また、ストッパ部６８の横には、遮光壁６９が設けられている。この遮光壁６９は、データ写し込み開口５６ｂの周囲を取り囲むように形成され、ストロボ装置１４からの漏光がデータ写し込み開口５６ｂに直接入射するのを防ぐ。
【００３２】
また、取付部６２には、押圧部６２ａが設けられている。この押圧部６２ａは、シャッタレリーズに連動してストロボ発光させるためのもので、シャッタボタン２９が押下されてシャッタ部材５８が開き位置にきた時に、シンクロスイッチ４７を押圧して、これをオンする。
【００３３】
図４に示すように、露光部１３の前面には、受け板７１を介して、デートモジュール７２が取り付けられる。デートモジュール７２は、写し込みデータである撮影日付を表示するためのもので、モジュール本体７３と、これに給電するボタン電池７４とからなる。モジュール本体７３には、撮影日付を白抜きで表示する透過型の液晶表示部７３ａとこれを駆動する時計回路とが組み込まれている。符号７５は、ボタン電池７４とモジュール本体７３とを電気的に接続するための電池接片である。この電池接片７５は前カバー１７の裏面に取り付けられており、モジュール本体７３への給電は、前カバー１７を本体基部１６に組み付けたときに開始される。
【００３４】
デートモジュール７２には、集光部材３２が取り付けられる。集光部材３２は、集光した光を射出する面が液晶表示部７２ａの前面に配置されるように取り付けられる。また、集光部材３２の上部は、ストロボ装置１３からの漏光を採光できるように、ユニット本体１２の背面に向けて突き出されている。これにより、ストロボ撮影をする際には、データ写し込み光の光源として、自然光の他にストロボ光の漏光も利用される。こうすることで、データ写し込みが充分な露光量のもとで行われるようにしている。
【００３５】
図５に示すように、符号７６は、振動などによりシャッタ部材５８が誤動作してデータ写し込み開口５６ｂが開放されたときに、データ写し込み開口５６ｂから光が入射してしまうのを防ぐ遮光板である。遮光板７６は、暗箱基部５６に設けられたピンに取り付けられており、その遮光部７６ａがデータ写し込み光路内に挿入される位置と、データ写し込み光路から退避する位置との間で挿脱自在に設けられている。
【００３６】
この遮光板７６は、弾性を備えた金属製の薄板で形成されている。遮光板７６には被押圧部７６ｂが形成されており、この被押圧部７６ｂがシャッタボタン２９の押圧レバー２９ａと係合する。シャッタボタン２９が押下されると、押圧レバー２９ａが被押圧部７６ｂを正面からみて右方向に押す。これにより、シャッタボタン２９が押下されている間、遮光板７６が時計方向に揺動して、遮光部７６ａがデータ写し込み光路から退避する。
【００３７】
また、被押圧部７６ｂの下方には、暗箱基部５６の前面に設けられたピン７９と係合する係合部７６ｃが設けられている。係合部７６ｃは、遮光板７６が時計方向に揺動したときに弾性変形し、遮光部７６ａがデータ写し込み光路に挿入される初期位置に復帰させるように付勢する。これにより、シャッタボタン２９の押下が終了すると、遮光板７６が反時計方向に揺動して、集光部材３２からの光が遮断される。したがって、シャッタボタン２９を押下しない限り、データ写し込み光路は遮光部７６ａにより遮断されるので、シャッタ部材５８が誤作動しても、誤って写真フイルム２１にデータ写し込み光が露光されてしまうようなことはない。
【００３８】
以下、上記構成による作用について図１及び図５のタイムチャートを参照しながら説明する。巻き上げノブ４１を回動してフイルム１コマの巻き上げを行うと、写真フイルム２１が給送されるとともに、シャッタチャージがなされ、写真フイルム２１の１コマ巻き上げが終了すると、巻き上げノブ４１の回動がロックされる。
【００３９】
ストロボ撮影をする場合には、ストロボスイッチ３４をオンしてストロボ充電を行う。また、データ写し込みをする場合には、選択スイッチ３３をオン位置にセットしてデータ写し込みを選択する。フレーミングの後、シャッタボタン２９を押下する。シャッタボタン２９を押下すると、遮光板７６が開き方向に揺動して遮光部７６ａがデータ写し込み光路から退避する。さらに、シャッタボタン２９ａを押し込むと蹴飛ばしレバー６６がシャッタ羽根の頭部を蹴飛ばしてシャッタ部材５８が開き動作を開始する。
【００４０】
シャッタ部材５８が開き動作すると、まず、データ写し込み開口５６ｂが開く。集光部材３２によって集光された外光は液晶表示部７３ａを通ってデータ写し込み光となり、このデータ写し込み光がデータ写し込み開口５６ｂから入射してデータ写し込みが開始される。さらに、シャッタ部材５８が開き動作すると、撮影開口５６ａが開いて被写体光の露光が開始される。
【００４１】
シャッタ部材５８が開き位置に達すると、押圧部６２ａがシンクロスイッチ４７をオンする。ここで、ストロボ充電がされている場合には、ストロボ発光する。このストロボ光が撮影開口５６ａ及びデータ写し込み開口５６ｂから入射する。
【００４２】
シャッタ部材５８は、ストッパピン６７及び復帰バネ６４の付勢により閉じ動作を開始する。閉じ動作では、まず、撮影開口５６ａが閉じられる。これにより、被写体光の露光が終了する。シャッタスピードは被写体光の露光時間に合わせて設定されているので、被写体光は適切な露出で露光される。
【００４３】
さらに、シャッタ部材５８が閉じ動作すると、データ写し込み開口５６ｂが閉じられる。これにより、シャッタ部材５８が閉じ位置に達して１往復動が終了する。シャッタ部材５８が閉じ位置に達すると、羽根部６１とストッパ部６８との衝突によりシャッタ部材５８がバウンドして、再度開き動作を開始する。これにより、データ写し込み開口５６ｂが開いてデータ写し込み光が再露光される。このバウンド時には、データ写し込み開口５６ｂのみが開かれるので、撮影開口５６ａが開放されてしまうようなことはない。
【００４４】
データ写し込み光の露光時間は、被写体光の露光時間よりも長く設定されているので、データ写し込み光量を多くすることができる。また、データ写し込みは、シャッタ部材５８のバウンドにより再露光されるので、データ写し込みに充分な光量が得られる。シャッタボタン２９から手を離すと、遮光板７６が反時計方向に揺動して、遮光部７６ａがデータ写し込み光路に挿入される。
【００４５】
上記例では、レンズ付きフイルムユニットを例に説明したが、コンパクトカメラに実施してもよい。また、撮影日付で説明したが、例えば、メッセージや、社名などのロゴマークを写し込むようにしてもよい。
【００４６】
また、上記例では、データ写し込みの再露光を１回させる例で示したが、シャッタ部材がバウンドする回数を多くして、２回以上再露光させるようにしてもよい。
【００４７】
【発明の効果】
以上詳細に説明したように、本発明のデータ写し込み装置は、復帰バネの付勢によりストッパに当接した閉じ位置では撮影開口を覆い、シャッタ駆動部材の蹴飛ばし動作によって復帰バネに抗して撮影開口を開放する開き位置に移動した後、復帰バネにより閉じ位置に戻って一回の露光を行うシャッタ羽根を備えたカメラに設けられ、前記シャッタ羽根に一体化されたデータ写し込みシャッタをシャッタ羽根とともに移動させることによって、撮影開口とは別に設けられたデータ写し込み開口を開閉してフイルムに光学的にデータを写し込むデータ写し込み装置において、前記シャッタ羽根の開き方向への移動により、データ写し込み開口、撮影開口の順に開放されるようにデータ写し込み開口と撮影開口とを配置したから、簡単な構成で、充分なデータ写し込み光量を得ることができる。
【００４８】
さらに、閉じ方向に移動したシャッタ羽根を前記ストッパとの衝突により復帰バネに抗してバウンドさせ、このバウンドによりデータ写し込み開口のみが再度開放されるようにすることで、よりデータ写し込み光量を増加させることができる。
【００４９】
また、前記データ写し込み開口を通ってフイルムを露光するデータ写し込み光を、カメラ周囲の環境光を利用するようにすれば、専用のデータ写し込み光源を使用せずに済むので、部品コストが削減でき、低コスト化を達成することができる。
【図面の簡単な説明】
【図１】シャッタ部材の開閉動作を示す説明図である。
【図２】レンズ付きフイルムユニットの全体斜視図である。
【図３】レンズ付きフイルムユニットの分解斜視図である。
【図４】露光部を示す分解斜視図である。
【図５】遮光板の動作を示す説明図である。
【図６】遮光板，データ写し込みシャッタ，メインシャッタの開閉タイミングを示すタイムチャートである。
【符号の説明】
１１  レンズ付きフイルムユニット
３３  集光部材
５６ａ  撮影用開口
５６ｂ  データ写し込み開口
５８  シャッタ部材
５８ａ  データ写し込みシャッタ
５８ｂ  メインシャッタ
６４  復帰バネ
６８  ストッパ部
【図１】
0003911112.tif 000002
【図２】
0003911112.tif 000003
【図３】
0003911112.tif 000004
【図４】
0003911112.tif 000005
【図５】
0003911112.tif 000006
【図６】
0003911112.tif 000007